(57)【特許請求の範囲】
【請求項１】
バーナベースの上にバーナキャップを載設してバーナキャップとバーナベースとの間に周方向に点火用炎孔と多数の炎孔とを形成したものにおいて、点火用炎孔の側方に点火用空間を形成し、この点火用空間の点火用炎孔と反対側の外側部に位置して点火用炎孔から流れるガスの流れを抑えるための縦片と点火用空間の上部を覆う部分とを備えた覆い片を設けると共に該覆い片の点火用空間の上部を覆う部分の下面部に点火ターゲットを形成し、この点火ターゲットの下端をバーナベースよりも上方に位置させて成ることを特徴とするガスコンロ用バーナ。
【請求項２】
上方に向けて覆い片を一体に突設形成したバーナベースがアルミダイカストにより形成してあることを特徴とする請求項１記載のガスコンロ用バーナ。
【請求項３】
略逆Ｌ字状をした覆い片の上横片の上面部に覆い片の縦片側の縁部を除く他の縁部に沿って堤用突部を形成して成ることを特徴とする請求項１又は請求項２記載のガスコンロ用バーナ。
【請求項４】
バーナキャップの上部にバーナキャップを覆う受け皿を設けて成ることを特徴とする請求項１乃至請求項３のいずれかに記載のガスコンロ用バーナ。
【請求項５】
受け皿の一部で少なくとも点火部の一部の上方を覆って成ることを特徴とする請求項４記載のガスコンロ用バーナ。
【発明の詳細な説明】
【０００１】
【発明の属する技術分野】
本発明は、ガスコンロ用バーナにおける点火装置部分の構造に関するものである。
【０００２】
【従来の技術】
従来からガスコンロ用バーナとして図６、図７に示すようなものが知られている。すなわち、バーナベース１の上にバーナキャップ２を着脱自在に載設してバーナキャップ２とバーナベース１との間に周方向に点火用炎孔３ａと多数の炎孔３とを形成したガスコンロ用バーナにおいて、取付け金具３０に取付けた点火プラグ１０をバーナベース１の点火プラグ用貫通孔２０に挿入した状態で取付け金具３０をバーナベース１に取付け、また、バーナキャップ２に点火ターゲット６を設け、バーナキャップ２をバーナベース１上に載設した状態で、点火用炎孔３ａの側方に点火用空間４を形成し、この点火用空間４の上に点火ターゲット６が位置し、点火用空間４の下に点火プラグ１０の放電電極１１が位置して、両者を上下に対向させていた。
【０００３】
そして、混合管１３からバーナキャップ２とバーナベース１との間の環状の空間にガスが供給されると、点火用炎孔３ａから点火用空間４にガスが噴出されるので、このとき、放電電極１１と点火ターゲット６との間でスパークを発生させてガスに点火し、点火用炎孔３ａから点火炎を形成する。この点火炎が隣接する炎孔３から出るガスに火移りして点火され、炎孔３から火炎が出て燃焼するようになっている。
【０００４】
ところが、上記の従来例にあっては、点火用炎孔３ａの側方に形成される点火用空間４は上をバーナキャップ２の端部に設けた水平に突出した横向き突片３２により覆っているのみであるから、図８に示すように五徳２８に載置した鍋２７の側面を伝って流れ落ちる煮汁２９が図８のように点火用空間４に外側方から浸入するのを防止することができず、点火用空間４の下に位置する点火プラグ１０の上端部の放電電極１１に煮汁２９が付着し、点火不良が発生しやすいという問題がある。また、点火用空間４の上をバーナキャップ２の横向き突片３２により覆っているといえども横向き突片３２上に流れ落ちた煮汁が横向き突片３２の端縁部から下面側に回り込んで点火ターゲット６を汚すと共に、点火プラグ１０の上端部の放電電極１１に煮汁が流れ落ちて汚し、この点でも点火不良が発生しやすいという問題がある。また、上記従来例においては点火用空間４の外側方には何ら遮蔽物がないので、リフト系のガスにおいては点火しにくく、また連続燃焼しにくいという問題があった。
【０００５】
【発明が解決しようとする課題】
本発明は上記の点に鑑みてなされたものであり、点火部分に煮汁がかかりにくく、点火不良が起きにくく、また、リフト系のガスであっても確実に点火できると共に良好に火移りさせることがき、また、点火ターゲット部分が高温にならず、耐久性が良好となるガスコンロ用バーナを提供することを課題とするものである。
【０００６】
【課題を解決するための手段】
上記課題を解決するために本発明に係る本発明のガスコンロ用バーナは、バーナベース１の上にバーナキャップ２を載設してバーナキャップ２とバーナベース１との間に周方向に点火用炎孔３ａと多数の炎孔３とを形成したものにおいて、点火用炎孔３ａの側方に点火用空間４を形成し、この点火用空間４の点火用炎孔３ａと反対側の外側部に位置して点火用炎孔３ａから流れるガスの流れを抑えるための縦片８と点火用空間４の上部を覆う部分とを備えた覆い片５を設けると共に該覆い片５の点火用空間４の上部を覆う部分の下面部に点火ターゲット６を形成し、この点火ターゲット６の下端をバーナベース１よりも上方に位置させて成ることを特徴とするものである。このような構成とすることで、覆い片５により上方及び外側方から煮汁が点火プラグ１０の放電電極１１と点火ターゲット６とよりなる点火部分に浸入して汚すのを防止できるものであり、また、覆い片５の縦片８が点火用炎孔３ａから流れるガスの流れを抑えるため、リフト系のガスであっても良好に点火することができるものである。
【０００７】
また、上方に向けて覆い片５を一体に突設形成したバーナベース１がアルミダイカストにより形成してあることが好ましい。このような構成とすることで、アルミニウムの高熱伝導率により点火ターゲット６が高温にならず、耐久性が良くなるものである。
【０００８】
また、略逆Ｌ字状をした覆い片５の上横片７の上面部に覆い片５の縦片８側の縁部を除く他の縁部に沿って堤用突部９を形成してあることが好ましい。このような構成とすることで、点火用空間４の上部を覆う覆い片５の上横片７の上に煮汁が流れ落ちた場合、上横片７の縦片８側の縁部以外の縁部から下面側に煮汁が回り込むのが堤用突部９により防止され、煮汁が堤用突部９の無い縦片８の外面側の端部から縦片８の外面を伝って排出されるものである。
【０００９】
また、バーナキャップ２の上部にバーナキャップ２を覆う受け皿１４を設けることが好ましい。このような構成とすることで、受け皿１４により煮汁がバーナキャップ２に流れるのを防止することができ、点火用炎孔３ａを含む炎孔３を煮汁で汚したり、炎孔３に煮汁が付着するのを防止することができるものである。
【００１０】
また、受け皿１４の一部で少なくとも点火部の一部の上方を覆うことが好ましい。このような構成とすることで、受け皿１４によっても点火部に煮汁が流れ込むのを防止することができるものである。
【００１１】
【発明の実施の形態】
以下、本発明を添付図面に示す実施形態に基づいて説明する。
【００１２】
バーナ本体１２は図１、図２に示すように混合管１３とバーナベース１とで構成してある。本実施形態においてはバーナ本体１２はアルミニウム製であり、添付図面に示すようにアルミニウム製の混合管１３とアルミニウム製のバーナベース１とを固着してバーナ本体１２が構成してある。混合管１３の基端には燃料ガスを供給するガスノズルが配置され、ガスノズルから燃料ガスを供給すると、混合管１３の基端から一次空気が吸入されて混合管１３内で燃料ガスと一次空気とが混合されるようになっている。バーナ本体１２の上面部を構成するバーナベース１は円環状をしている。
【００１３】
バーナ本体１２のバーナベース１上には円環状のバーナキャップ２が着脱自在に載設してある。本実施形態の場合、バーナキャップ２もアルミニウムにて形成してある。また、バーナキャップ２の上部には隙間を介してバーナキャップ２よりも大径の受け皿１４が取付けてあり、受け皿１４で煮汁等を受けてバーナキャップ２に煮汁が流れないようにしてある。受け皿１４の外周部の一部には煮汁排出部１５が突出してあり、受け皿１４に流れた煮汁がガスコンロの天板（図示せず）上に流れるようになっている。また、受け皿１４の外周部の一部から庇片１６が外側方に向けて突出してある。
【００１４】
バーナキャップ２の下面には周方向に多数の溝を穿設してあり、この溝によりバーナキャップ２とバーナベース１との間に周方向に多数の炎孔３が形成してある。多数の炎孔３のうち一つの炎孔３が点火用炎孔３ａとなっており、点火用炎孔３ａの側方が点火用空間４となるものである。
【００１５】
バーナベース１の外周から一段下に下がって外方に向けて鍔部１７が一体に連設してあり、更に鍔部１７の外周に更に一段下がって受け段部１８が一体に連設してあり、ガスコンロの天板（図示せず）の開口縁が受け段部１８に載置されるようになっている。
【００１６】
バーナベース１にバーナキャップ２を正規の位置関係で載設した状態で、バーナベース１の鍔部１７の前述の点火用炎孔３ａに対応する箇所には鍔部１７よりも上方に突出する上向き突出部１９となっており、この上向き突出部１９部分で鍔部１７に上下に孔をあけて上下に貫通した点火プラグ用貫通孔２０が形成してある。したがって鍔部１７から点火プラグ用貫通孔２０に煮汁が流れるのが上向き突出部１９により防止される。上向き突出部１９の上面はバーナベース１の上面と同一レベルとなっている。点火プラグ用貫通孔２０の下部には固定ばね２１が嵌め込んで取付けてあり、固定ばね２１に下方より点火プラグ１０を挿入して取付けてある。
【００１７】
点火プラグ１０の上端部の放電電極１１の先端は点火プラグ用貫通孔２０の上開口内に又は上開口より少し上方に位置していてバーナベース１の上面とほぼ同一レベル又は少し上となるように配設されるものである。なお、好ましくは放電電極１１の先端がバーナベース１の上面より少し上（例えば１ｍｍ程度上）に位置するのがよく、このようにすると、放電電極１１の掃除が容易に行えるものである。
【００１８】
鍔部１７の上向き突出部１９部分において点火プラグ用貫通孔２０の縁部には点火プラグ用貫通孔２０を介して点火用炎孔３ａと対向する位置から上方に向けて略逆Ｌ字状に突出する覆い片５が一体に突設してある。点火用炎孔３ａの側方の点火用空間４は略逆Ｌ字状をした覆い片５により上部と外側部とが覆われるようになっている。つまり、点火用空間４の上部を覆い片５の上横片７により覆い、点火用空間４の外側部を覆い片５の縦片８により覆うようになっている。覆い片５の上横片７の下面部には点火ターゲット６が下方に向けて突設してある。そして、上記点火プラグ用貫通孔２０に固定ばね２１により取付けた点火プラグ１０の放電電極１１と点火ターゲット６とが上下に対向するものであり、点火ターゲット６はバーナベース１に一体に形成し、また、点火プラグ１０はバーナベース１に取付けるので、点火ターゲット６と放電電極１１との位置関係をきわめて正確に出すことができて正確に放電できるようになっている。
【００１９】
覆い片５の上横片７の上面部には図４に示すように、縦片８側の縁部を除く他の３辺の縁部に沿って平面視コ字状をした堤用突部９を形成してあり、また、上横片７の上面は縦片８側が低くなるように傾斜した傾斜面となっている。
【００２０】
バーナベース１上に受け皿１４を取付けたバーナキャップ２を載設して、点火用炎孔３ａが覆い片５の縦片８に対向した状態で、バーナキャップ２の少なくとも一部が点火ターゲット６や放電電極１１により構成される点火部の少なくとも一部を上方において覆っている。添付図面に示す実施形態ではバーナキャップ２に取付けた受け皿１４の外端部の一部が点火部の上方を覆い且つ受け皿１４の一部である庇片１６（受け皿１４の外端部から外方に突出して庇片１６が形成してある）が覆い片５の上横片７の上方位置に位置し、点火プラグ用貫通孔２０及び上横片７を庇片１６により上方において覆うようになっている。
【００２１】
また、バーナベース１の鍔部１７の他の箇所には上下に貫通したサ−モカップル用貫通孔２５が設けてある。このサ−モカップル用貫通孔２５に、炎孔３からの火炎の温度を検知して炎が消えた際にガスの供給を遮断するためのサ−モカップル２６が貫挿して取付けてある。
【００２２】
しかして、混合管１３からバーナキャップ２とバーナベース１との間の環状の空間にガスが供給されると、点火用炎孔３ａから点火用空間４にガスが噴出される。このとき、放電電極１１と点火ターゲット６との間でスパークが発生されてガスに点火され、点火用炎孔３ａから点火炎が形成される。
【００２３】
ここで、点火用空間４が逆Ｌ字状をした覆い片５により外側と上側とが覆われているが両側が開口しているため、点火用炎孔３ａに隣接する炎孔３から出るガスにスムーズに火移りして点火され、炎孔３から出る火炎がでるように燃焼を持続する。また、燃焼中においても、上記点火用炎孔３ａに対して横方向に対向する点火用空間４は両側は覆ってなくて開口しているため、点火用空間４に両側方から二次空気がスムーズに供給されて連続燃焼を可能とし、また、点火用炎孔３ａに形成される火炎と隣接する炎孔３から出る火炎との間で絶えず火移りする関係を維持し、これらの理由により連続燃焼を確保することができるものであり、また、リフト系のガス（混合ガス）であっても点火用炎孔３ａから点火用空間４に流出するガス流が点火用炎孔３ａに対向する縦片８に当たり、点火用空間４内にガスが常に存在することになって確実に点火燃焼させて連続燃焼状態を確保できて、点火用炎孔３ａに形成される火炎がリフト現象を起こすことがないようにできる。
【００２４】
ところで、点火用空間４の上と下に配置した点火ターゲット６と放電電極１１とで構成される点火部分に外部から煮汁が浸入しようとすると、覆い片５の上横片７により上方からの煮汁が浸入するのを防止し、縦片８により外側方から煮汁が浸入するのを防止するものである。図５には縦片８により外側方から煮汁が点火部分に浸入するのを防止している例が示してある。図５において２７は五徳２８に載置した鍋であり、鍋２７の側面を伝って流れ落ちる煮汁２９が点火部分に外側方から浸入しようとするのを覆い片５の縦片８により防止している。また、上横片７の上方を更に庇片１６で覆うことで、庇片１６、上横片７により２段階で点火部分に上方から煮汁が浸入するのを防止している。また、図４のように上横片７の上面に煮汁２９が流れ落ちても、上横片７の縦片８側の縁部以外の縁部から下面側に煮汁２９が回り込むのを堤用突部９により防止し、煮汁は堤用突部９の無い縦片８の外面側の端部から縦片８の外面を伝って排出し、点火部分に浸入しないようになっている。
【００２５】
このように、本発明においては、点火部分を構成する点火プラグ１０の放電電極１１、点火ターゲット６が煮汁で汚れず、点火不良が発生しないようになっている。
【００２６】
ところで、バーナベース１はアルミのダイカストにより覆い片５も含めて一体に形成してあるので、アルミニウムの高熱伝導率により点火ターゲット６に有する覆い片５が高温にならず、点火ターゲット６の耐久性が良好となるものであり、この点でも点火不良が発生しないようになっている。
【００２７】
【発明の効果】
上記のように本発明の請求項１記載の発明にあっては、点火用炎孔の側方に点火用空間を形成し、この点火用空間の点火用炎孔と反対側の外側部に位置して点火用炎孔から流れるガスの流れを抑えるための縦片と点火用空間の上部を覆う部分とを備えた覆い片を設けると共に該覆い片の点火用空間の上部を覆う部分の下面部に点火ターゲットを形成し、この点火ターゲットの下端をバーナベースよりも上方に位置させてあるので、覆い片により上方及び外側方から煮汁が点火プラグの放電電極と点火ターゲットとよりなる点火部分に浸入して汚すのを防止できて、煮汁が点火部分に浸入することによる点火不良を防止することができるものであり、また、覆い片の縦片が点火用炎孔から流れるガスの流れを抑えることになり、リフト系のガスであっても良好に点火して、点火用炎孔からの火炎を連続燃焼させることができるものである。
【００２８】
また、請求項２記載の発明にあっては、上記請求項１記載の発明の効果に加えて、上方に向けて覆い片を一体に突設形成したバーナベースがアルミダイカストにより形成してあるので、アルミニウムの高熱伝導率により点火ターゲットが高温にならず、耐久性が良くなり、この点でも点火不良がないものである。
【００２９】
また、請求項３記載の発明にあっては、上記請求項１又は請求項２記載の発明の効果に加えて、略逆Ｌ字状をした覆い片の上横片の上面部に覆い片の縦片側の縁部を除く他の縁部に沿って堤用突部を形成してあるので、点火用空間の上部を覆う覆い片の上横片の上に煮汁が流れ落ちた場合、上横片の縦片側の縁部以外の縁部から下面側に煮汁が回り込むのが堤用突部により防止され、煮汁が堤用突部の無い縦片の外面側の端部から縦片の外面を伝って排出されるものであり、この結果、上横片の上面に流れ落ちた煮汁が上横片の端縁から下面側に回り込んで、点火ターゲットや放電電極を汚すことがないものであり、いっそう点火不良を防止できるものである。
【００３０】
また、請求項４記載の発明にあっては、上記請求項１乃至請求項３のいずれかに記載の発明の効果に加えて、バーナキャップの上部にバーナキャップを覆う受け皿を設けてあるので、受け皿により煮汁がバーナキャップに流れるのを防止することができて、炎孔を煮汁で汚したり、炎孔に煮汁が付着するのを防止することができるものであり、この結果、良好な燃焼を維持できるものである。
【００３１】
また、請求項５記載の発明にあっては、上記請求項４記載の発明の効果に加えて、受け皿の一部で少なくとも点火部の一部の上方を覆ってあるので、受け皿によっても点火部に上方から煮汁が流れ込むのを防止できるものである。なお、受け皿の一部が少なくとも覆い片の一部と平面視で重複するような配置の場合には覆い片の上横片と受け皿の一部とで２重に上方から点火部に煮汁が流れ込むのを防止することができるものであって、この場合には更に点火部への煮汁の流れ込み防止効果が向上するものである。
【図面の簡単な説明】
【図１】本発明の断面図である。
【図２】同上の平面図である。
【図３】同上の受け皿を図面上省略した状態の拡大平面図である。
【図４】同上の覆い片の上横片の堤用突部を示す斜視図である。
【図５】同上の覆い片により外側方から点火部分に煮汁が浸入するのを防止している状態を示す説明図である。
【図６】従来例の断面図である。
【図７】従来例の一部破断した平面図である。
【図８】従来例の点火部に外側方から煮汁が浸入している状態を示す説明図である。
【符号の説明】
１  バーナベース
２  バーナキャップ
３  炎孔
３ａ  点火用炎孔
４  点火用空間
５  覆い片
６  点火ターゲット
７  上横片
８  縦片
９  堤用突部
１０  点火プラグ
１１  放電電極
１４  受け皿
【図１】
0003996721.tif 000002
【図２】
0003996721.tif 000003
【図３】
0003996721.tif 000004
【図４】
0003996721.tif 000005
【図５】
0003996721.tif 000006
【図６】
0003996721.tif 000007
【図７】
0003996721.tif 000008
【図８】
0003996721.tif 000009